(57)【要約】【課題】金属線材からなるハンガー本体の左右の肩受けに合成樹脂成形物よりなる肩当て部材を取り付けた衣料用ハンガーとして、容易に低コストで組立製作でき、軽量で外観体裁に優れたものを提供する。【解決手段】円形断面の一本の金属線材１０を曲成したハンガー本体１と、ハンガー本体１の頂部に設けた吊掛用フック２と、ハンガー本体の左右の肩受け１１，１１に止着される合成樹脂成形物よりなる肩当て部材３，３とを備え、ハンガー本体１の一筋の金属線材１０より構成される肩受け１１の下部の直線状傾斜部１１ａと下向き湾曲部１１ｂに、肩当て部材３の下面３ｂ側に設けた跨嵌部２を強制的圧嵌させる。【選択図】        図１
2004159821.tif 000002
【特許請求の範囲】
【請求項１】
円形断面の一本の金属線材を曲成したハンガー本体と、このハンガー本体の頂部に設けた吊掛用フックと、ハンガー本体の左右の肩受けに止着される合成樹脂成形物よりなる肩当て部材とを備え、
前記ハンガー本体は、ハ字形に配置する左右の肩受けが一筋の金属線材より構成され、各肩受けの下部が直線状傾斜部から下向きに湾曲しており、
前記肩当て部材は、前記肩受けの下部の直線状傾斜部から下向き湾曲部にかけて上方から被う形態であって、下面側に肩受けの直線状傾斜部と下向き湾曲部の前記金属線材に対する跨嵌部を有し、この跨嵌部の強制的圧嵌によってハンガー本体に止着されてなる衣料用ハンガー。
【請求項２】
前記跨嵌部が肩当て部材の全長にわたる溝状である請求項１記載の衣料用ハンガー。
【請求項３】
前記ハンガー本体は、ハ字形に配置する左右の肩受けと、その下端間を繋ぐ水平バー部とからなる略二等辺三角形の枠状に形成され、両肩受けから水平バー部への移行部分がアール状をなす請求項１又は２に記載の衣料用ハンガー。
【発明の詳細な説明】
【０００１】
【発明の属する技術分野】
この発明は、衣服を掛ける衣料用ハンガー、特に金属線材からなるハンガー本体の左右の肩受けに合成樹脂成形物よりなる肩当て部材が止着された衣料用ハンガーに関する。
【０００２】
【従来の技術】
衣料用ハンガーとしては、山形もしくは略二等辺三角形の枠をなす木製又は合成樹脂製の本体の頂部に吊掛用フックを設けたもの、山形の木製本体に吊掛用フックと共に左右の金属線材を介してズボン掛け用の横バーを吊持させたもの、全体が合成樹脂の一体成形物からなるもの、全体が金属線材からなるもの等が汎用されている。しかるに、本体が木製では製作コストが高くつき、合成樹脂製では安っぽい感じが否めず、また金属線材からなるものは外見が貧弱な上に衣服の肩部を細い線材で支持するために衣服の形態保持性に難がある。
【０００３】
そこで、近年において、例えば特許文献１，２に示されるように、金属線材からなるハンガー本体の左右の肩受けに合成樹脂成形物よりなる幅広の肩当て部材を取り付けることにより、掛けた衣服を肩部に膨らみのある状態で保持できるようにしたものが登場している。
【０００４】
【特許文献１】
意匠登録第１１３４２００号公報
【０００５】
【特許文献２】
意匠登録第１１３４２０１号公報
【０００６】
【発明が解決しようとする課題】
しかしながら、上記従来の肩当て部材を有する衣料用ハンガーは、ハンガー本体に肩当て部材を安定状態に止着するために、ハンガー本体の金属線材を左右の肩受けの各下端で折り返して二重にしており、これによってハンガー本体の製作に手間及びコストがかかると共に、ハンガーの重量が増し、また外観体裁もさほど良くないという問題があった。
【０００７】
この発明は、上述の事情に鑑みて、金属線材からなるハンガー本体の左右の肩受けに合成樹脂成形物よりなる肩当て部材を取り付けた衣料用ハンガーとして、容易に低コストで組立製作できる上、軽量で外観体裁に優れたものを提供することを目的としている。
【０００８】
【課題を解決するための手段】
上記目的を達成するために、この発明に係る衣料用ハンガーは、円形断面の一本の金属線材を曲成したハンガー本体と、このハンガー本体の頂部に設けた吊掛用フックと、ハンガー本体の左右の肩受けに止着される合成樹脂成形物よりなる肩当て部材とを備え、前記ハンガー本体は、ハ字形に配置する左右の肩受けが一筋の金属線材より構成され、各肩受けの下部が直線状傾斜部から下向きに湾曲しており、前記肩当て部材は、前記肩受けの下部の直線状傾斜部から下向き湾曲部にかけて上方から被う形態であって、下面側に肩受けの直線状傾斜部と下向き湾曲部の前記金属線材に対する跨嵌部を有し、この跨嵌部の強制的圧嵌によってハンガー本体に止着されてなる構成としている。
【０００９】
上記構成の衣料用ハンガーでは、ハンガー本体の左右の肩受けが一筋の金属線材からなるが、肩当て部材は、該肩受けの直線状傾斜部と下向き湾曲部の前記金属線材に対して跨嵌しているため、回り止めされた形になってゆるぎのない安定した止着状態となる。そして、ハンガー本体の製作は一本の金属線材を平面的に曲げ加工するだけでよく、しかも肩当て部材はハンガー本体の肩受けに対して嵌着するだけで止着できるから、ハンガーの組立製作を容易に低コストで行える。また、この衣料用ハンガーは、ハ字形に配置した一筋の金属線材よりなる左右の肩受けの各下部に肩当て部材が取り付けられた構造であるから、非常にシンプルですっきりした外観となって見栄えがよい上、軽量で取扱い性に優れる。
【００１０】
しかして、このような衣料用ハンガーにおいて、前記跨嵌部が肩当て部材の全長にわたる溝状である構成とすれば、該肩当て部材をハンガー本体の肩受けに沿う状態から下方へスライドさせても、肩受けの金属線材の曲がり部分が常に跨嵌部の溝から延び出す形になるから、肩当て部材は回転方向の自由度がなく安定した止着状態を保つことになる。従って、ハンガー本体に対する左右両側の肩当て部材の止着位置をスライド変更することにより、ハンガーの左右幅を適用する衣服のサイズに合わせて調整可能となる。
【００１１】
また、前記ハンガー本体を、ハ字形に配置する左右の肩受けと、その下端間を繋ぐ水平バー部とからなる略二等辺三角形の枠状に形成し、両肩受けから水平バー部への移行部分がアール状をなす構成とすれば、該ハンガー本体の耐荷重強度が増し、掛ける衣服の重さで両肩受けが下向きに撓んだり変形したりすることがないと共に、水平バー部を利用してズボン等を掛けることできる。
【００１２】
【発明の実施の形態】
次に、この発明に係る衣料用ハンガーの実施形態について、図面を参照して具体的に説明する。図１〜図５は第一実施例の衣料用ハンガー、図６及び図７は第二実施例の衣料用ハンガーをそれぞれ示す。
【００１３】
第一実施例の衣料用ハンガーは、図１（Ａ）（Ｂ）に示すように、アルミニウム等よりなる一本の金属線材（１０）を曲成したハンガー本体（１）と、このハンガー本体（１）の頂部に取り付けた同様の金属線材からなる吊掛用フック（２）と、ハンガー本体（１）の左右の肩受け（１１）（１１）に止着されるた合成樹脂成形物からなる一対の肩当て部材（３）（３）とで構成されている。（４）はハンガー本体（１）と吊掛用フック（２）とを連結する合成樹脂成形物からなる連結部材である。
【００１４】
ハンガー本体（１）は、金属線材（１０）の両端を頂部として、ハ字形に配置する左右の肩受け（１１）（１１）と、その下端間を繋ぐ水平バー部（１２）とからなる略二等辺三角形の枠状に形成されており、両肩受け（１１）（１１）から水平バー部（１２）への移行部分がアール状をなしている。そして、各肩受け（１１）の下部の直線状傾斜部（１１ａ）から下向き湾曲部（１１ｂ）にかけて、肩当て部材（３）が金属線材（１０）の上側及び左右両側を被うように止着されている。
【００１５】
肩当て部材（３）は、ハンガー本体（１）の肩受け（１１）における直線状傾斜部（１１ａ）から下向き湾曲部（１１ｂ）にかけた形状に対応して側面視略へ字状で、平面視が略涙滴形であり、図２（Ａ）〜（Ｄ）に示すように、上面（３ａ）全体が幅方向中央を高くする凸面状をなすと共に、凹面状の下面（３ｂ）には長手方向に沿って平行２条の条片（３１）が突設され、両条片（３１）（３１）間で長手方向全長にわたる溝状の跨嵌部（５）を形成している。
【００１６】
そして、溝状の跨嵌部（５）の幅はハンガー本体（１）の金属線材（１０）の直径よりも僅かに狭く設定されており、この跨嵌部（５）を該金属線材（１０）に強制的に圧嵌することにより、肩当て部材（３）はハンガー本体（１）の各肩受け（１１）の下部に強固に止着される。なお、溝状の跨嵌部（５）の両端位置と途中３ヵ所とに、該金属線材（１０）の円周に対応した凹円弧状の受け部（３２）…を有しており、これら受け部（３２）…に嵌合した金属線材（１０）の周面が密接するようになっている。また、跨嵌部（５）における受け部（３２）…の底までの深さは金属線材（１０）の直径と同じか若干上回ると共に、両条片（３１）（３１）の高さは基板部（３０）の両側縁（３０ａ）（３０ａ）よりも低く設定されており、これによって嵌合部分の金属線材（１０）ならびに両条片（３１）（３１）が側方からは見えない形になっている。
【００１７】
連結部材（４）は、表裏一対の板体（４ａ）（４ｂ）の嵌め合い構造になっており、図３に示すように、吊掛用フック（２）の径大にした下端部（２ａ）と、ハンガー本体（１）を構成する金属線材（１０）のＬ字状に折曲した両端部（１０ａ）（１０ａ）とを内側に納め、両板体（４ａ）（４ｂ）を図示省略した係合部を介して嵌合一体化することにより、ハンガー本体（１）と吊掛用フック（２）とを連結するように設定されている。
【００１８】
上記第一実施例の衣料用ハンガーでは、ハンガー本体（１）の左右の肩受け（１１）（１１）が一筋の金属線材（１０）からなるが、該肩受け（１１）の直線状傾斜部（１１ａ）から下向き湾曲部（１１ｂ）にかけての金属線材（１０）に対し、肩当て部材（３）が下面（３ｂ）の溝状の跨嵌部（５）全体で跨嵌しており、下向き湾曲部（１１ｂ）での嵌合によって該肩当て部材（３）の金属線材（１０）を軸心とする回転が不能であるから、該肩当て部材（３）は回り止めされた形でゆるぎのない安定した止着状態に保持されている。従って、この衣料用ハンガーによれば、左右に幅広の肩当て部材（３）（３）を備えることから、これに掛けた上着類等の衣服を肩部に膨らみのある良好な状態で保持できる。
【００１９】
また、この衣料用ハンガーにおいては、肩当て部材（３）を図１の如くハンガー本体（１）の肩受け（１１）に沿う状態から図４の如く下方へスライドさせても、図５に示すように肩受け（１１）における金属線材（１０）の曲がり部分つまり下向き湾曲部（１１ｂ）が常に跨嵌部（５）の溝から延び出す形になり、この延び出し部分で該肩当て部材（３）の回転方向の動きが阻止されるから、スライドした下方位置でも安定した止着状態を保つ。従って、このハンガーでは、ハンガー本体（１）に対する左右両側の肩当て部材（３）（３）の止着位置をスライド変更でき、これによってハンガーの左右幅を適用する衣服のサイズに合わせて調整することが可能である。
【００２０】
しかも、この衣料用ハンガーは、ハ字形に配置した一筋の金属線材（１０）よりなる左右の肩受け（１１）（１１）の各下部に幅広の肩当て部材（３）が取り付けられた構造であるから、非常にシンプルですっきりした外観を呈し、貧弱な印象もなく見栄えがよい上、肩受け（１１）の金属線材（１０）が一筋のみで全体として軽量になるため、運搬等の取扱い性に優れている。なお、ハンガー本体（１）は横バー部（１２）を含む二等辺三角形の枠状に形成されているため、耐荷重強度が大きく、掛ける衣服の重さで両肩受け（１１）（１１）が下向きに撓んだり変形したりすることはなく、また水平バー部（１２）にズボン等を掛けることできる。
【００２１】
一方、この衣料用ハンガーの製作においては、ハンガー本体（１）は一本の金属線材（１０）を平面的に曲げ加工するだけで簡単に形成できると共に、肩当て部材（３）も合成樹脂形成物であるために量産容易であり、各部材を容易に低コストで製造でき、しかも該肩当て部材（３）はハンガー本体（１）の肩受け（１１）に対して嵌着するだけで確実に止着できるから、組み立ても操作的に極めて簡単で労力及び時間を要さず低コストで行える。
【００２２】
第二実施例の衣料用ハンガーは、肩当て部材（３）として跨嵌部（５）の構造が異なるものを用いた以外は、前記第一実施例と同一構成である。従って、第一実施例と共通するハンガー本体（１）、吊掛用フック（２）、連結部材（４）についての説明は省略する。
【００２３】
この第二実施例の衣料用ハンガーにおける肩当て部材（３）は、平面視及び側面視が前記第一実施例のものと同様形状の合成樹脂成形物からなるが、図７（Ａ）〜（Ｃ）に示すように、その下面（３ｂ）には跨嵌部（５）として、中央線に沿って３ヵ所に一対の突片（３３）（３３）からなる跨嵌部（５ａ）〜（５ｃ）が形成されており、そのうち２つの跨嵌部（５ａ）（５ｂ）が基板部（３ａ）の直線部分に位置すると共に、残る１つの跨嵌部（５ｃ）が同湾曲部分に位置している。そして、これら跨嵌部（５ａ）〜（５ｃ）は、各々の対をなす突片（３３）（３３）間の幅がハンガー本体（１）の金属線材（１０）の直径よりも僅かに狭く設定されると共に、両突片（３３）（３３）間の底部が該金属線材（１０）の円周に対応した凹円弧状の受け部（３４）となっている。なお、同様の受け部（３４）は肩当て部材（３）前端（止着状態の上端）にも設けられている。
【００２４】
このような肩当て部材（３）は、図６に示すように、ハンガー本体（１）の肩受け（１１）における直線状傾斜部（１１ａ）に跨嵌部（５ａ）（５ｂ）が、同下向き湾曲部（１１ｂ）に跨嵌部（５ｃ）がそれぞれ跨嵌するように、強制的に圧嵌することにより、当該肩受け（１１）の下部に強固に止着され、各受け部（３４）に嵌合した金属線材（１０）の周面が密接するようになっている。また、前記第一実施例のものと同様に、跨嵌部（５ａ）〜（５ｃ）における受け部（３４）の底までの深さは金属線材（１０）の直径と同じか若干上回ると共に、両突片（３３）（３３）の高さは基板部（３０）の両側縁（３０ａ）（３０ａ）よりも低く設定され、もって嵌合部分の金属線材（１０）ならびに両突片（３３）（３３）が側方からは見えない形になっている。
【００２５】
この第二実施例の衣料用ハンガーでも、該肩受け（１１）の直線状傾斜部（１１ａ）と下向き湾曲部（１１ｂ）の金属線材（１０）に対し、肩当て部材（３）が下面（３ｂ）の跨嵌部（５ａ）〜（５ｃ）を跨嵌しており、跨嵌部（５ｃ）の下向き湾曲部（１１ｂ）への嵌合によって該肩当て部材（３）の金属線材（１０）を軸心とする回転が不能であるから、該肩当て部材（３）は回り止めされた形でゆるぎのない安定した止着状態に保持され、左右の幅広の肩当て部材（３）（３）によって衣服を肩部に膨らみのある良好な状態で保持できる。ただし、このハンガーは、第一実施例の衣料用ハンガーのように肩当て部材（３）を下方へスライドさせると、跨嵌部（５ｃ）が肩受け（１１）の下向き湾曲部（１１ｂ）から外れて回転可能になるから、このスライドによるハンガーの左右幅の調整は行えない。
【００２６】
しかして、この第二実施例の衣料用ハンガーは、前記第一実施例のものと同様に、外観が非常にシンプルですっきりして見栄えよく、また軽量で運搬等の取扱い性に優れると共に、ハンガー本体（１）が耐荷重強度の大きい二等辺三角形の枠状をなすため、衣服の重さで両肩受け（１１）（１１）が下向きに撓んだり変形したりせず、水平バー部（１２）にズボン等を掛けることできる。また、その製作においても、前記第一実施例のものと同様に、各部材を容易に低コストで製造できると共に、組み立ても操作的に極めて簡単で労力及び時間を要さず低コストで行える。
【００２７】
この発明に係る衣料用ハンガーは、上述した第一及び第二実施例の構成以外に種々設計変更可能である。例えば、ハンガー本体（１）はハ字形に配置した左右の肩受け（１１）（１１）のみで横バー部（１１）のない形態でもよい。また、吊掛用フック（２）とハンガー本体（１）との連結構造は様々に設定できると共に、ハンガー本体（１）の金属線材（１０）の延長部によって吊掛用フック（２）を一体に形成してもよい。更に、肩当て部材（３）についても、その外形、長さと幅、跨嵌部（５）の形態と形成位置等、細部構成を実施例以外に種々設計変更可能である。
【００２８】
【発明の効果】
請求項１の発明によれば、金属線材からなるハンガー本体の左右の肩受けに合成樹脂成形物よりなる肩当て部材を取り付けた衣料用ハンガーとして、ハンガー本体のハ字形に配置する左右の肩受けが一筋の金属線材より構成され、肩当て部材が下面側の跨嵌部を肩受けの下部の直線状傾斜部と下向き湾曲部とに強制的圧嵌してハンガー本体に止着される構造であることから、肩受けが一筋の金属線材からなるにも拘らず肩当て部材は回転不能で強固な止着状態となり、しかも容易に低コストで組立製作できる上、軽量で外観体裁に優れたものが提供される。
【００２９】
請求項２の発明によれば、上記の衣料用ハンガーにおいて、前記跨嵌部が肩当て部材の全長にわたる溝状をなすことから、該肩当て部材をハンガー本体の肩受けに沿う状態から下方へスライドさせても回転不能な安定した止着状態に保つことができ、もってハンガーの左右幅を適用する衣服のサイズに合わせて調整できるという利点がある。
【００３０】
請求項３の発明によれば、上記の衣料用ハンガーにおいて、前記ハンガー本体が左右の肩受けとその下端間を繋ぐ水平バー部とからなる略二等辺三角形の枠状に形成され、両肩受けから水平バー部への移行部分がアール状をなすことから、ハンガー本体の耐荷重強度が増し、掛ける衣服の重さで両肩受けが下向きに撓んだり変形したりすることがなく、また水平バー部を利用してズボン等を掛けることできるという利点がある。
【図面の簡単な説明】
【図１】この発明の第一実施例に係る衣料用ハンガーを示し、（Ａ）図は全体の平面図、（Ｂ）図は全体の正面図、（Ｃ）図は（Ｂ）図のＣ−Ｃ線の断面矢視図、（Ｄ）図は（Ｂ）図のＤ−Ｄ線の断面図である。
【図２】同第一実施例の衣料用ハンガーに使用する肩当て部材を示し、（Ａ）図は縦断側面図、（Ｂ）図は正面図、（Ｃ）図は底面図、（Ｄ）図は（Ｃ）図のＤ−Ｄ線の断面矢視図である。
【図３】同第一実施例の衣料用ハンガーにおけるハンガー本体と吊掛用フックとの連結状態を示す要部破断正面図である。
【図４】同第一実施例の衣料用ハンガーの肩当て部材を下方へスライドさせた状態を示す全体の正面図である。
【図５】同第一実施例の衣料用ハンガーの肩当て部材を下方へスライドさせた状態を示す要部の縦断正面図である。
【図６】この発明の第二実施例に係る衣料用ハンガーにおける肩当て部材の取付部分を示す縦断正面図である。
【図７】同第二実施例の衣料用ハンガーに使用する肩当て部材を示し、（Ａ）図は縦断側面図、（Ｂ）図は底面図、（Ｃ）図は（Ｂ）図のＣ−Ｃ線の断面矢視図である。
【符号の説明】
１・・・・・ハンガー本体
１０・・・・金属線材
１１・・・・肩受け
１１ａ・・・直線状傾斜部
１１ｂ・・・下向き湾曲部
１２・・・・横バー部
２・・・・・吊掛用フック
３・・・・・肩当て部材
３ｂ・・・・下面
５・・・・・跨嵌部
５ａ〜５ｃ…跨嵌部
【図１】
2004159821.tif 000003
【図２】
2004159821.tif 000004
【図３】
2004159821.tif 000005
【図４】
2004159821.tif 000006
【図５】
2004159821.tif 000007
【図６】
2004159821.tif 000008
【図７】
2004159821.tif 000009